(57)【特許請求の範囲】
【請求項１】
着信不応答を検知する手段と、着信した着サブアドレス番号に含まれる付加番号と予め定めてある設定番号とを照合する手段と、上記照合の結果一致した場合は通常の発番号表示に追加した表示とする表示手段と、着信記録発信操作を検知すると上記着サブアドレス番号に含まれる連絡先電話機の電話番号へ発信を行う手段を備えたことを特徴とする着信記録発信機能付電話機。
【請求項２】
着信番号の下４桁の番号を設定番号としたことを特徴とする請求項１の着信記録発信機能付電話機。
【発明の詳細な説明】
【０００１】
【発明の属する技術分野】
本発明は、着信があったが応答できなかった電話に対し、それを記録しておきダイヤル操作なしの簡単な操作で発信してきた相手が希望する電話機へ発信を可能とする着信記録発信機能付電話機に関する。
【０００２】
【従来の技術】
従来着信記録発信機能付電話機においては、着信時に到来する発信者番号を記録、表示するものがあり、何らかの都合で応答できなかった場合にも上記発信者番号に折り返し発信することができる。以下パーソナルハンディホンシステム端末（以下ＰＨＳ端末という）を一例として説明する。
【０００３】
【発明が解決しようとする課題】
しかしながら、電車に乗るなど着信範囲外へ出る直前、または病院内に入る場合等でＰＨＳ端末の電源を切る前、さらに映画館に入る前でＰＨＳ端末の着信音を停止としておく必要が有る場合に、相手ＰＨＳ端末に対して発信したが相手が不応答だった場合には、相手と連絡がとれなかった。すなわち相手が発信者番号に基づく着信記録発信を行ってもＰＨＳ端末所有者はＰＨＳ端末の電源を切っている等のため相手からの連絡を受けることはできなかった。
また、その時点で連絡が取れなかったことにより後にかけ直しても再度つながらないという状況も生じた。
本発明の目的は、上記不具合を解消するもので、自己のＰＨＳ端末を不動作としなくてはならない状況でも着信不応答の相手との連絡を取れるようにする着信記録発信機能付電話機（ＰＨＳ端末）を提供するものである。
【０００４】
【課題を解決するための手段】
上記目的を達成するため、構成を以下のようにした。
（１）着信不応答を検知する手段と、着信した着サブアドレス番号に含まれる付加番号と予め定めてある設定番号とを照合する手段と、上記照合の結果一致した場合は通常の発番号表示に追加した表示とする表示手段と、着信記録発信操作を検知すると上記着サブアドレス番号に含まれる連絡先電話機の電話番号へ発信を行う手段を備えた着信記録発信機能付電話機。
（２）着信番号の下４桁の番号を設定番号とした第１項の着信記録発信機能付電話機。
以上
【０００５】
【実施例】
図１は本発明の一実施例であるフローチャート、図２は本発明の着信記録発信機能付ＰＨＳ端末の番号記憶配置を示す。図３は本発明の目的を達成するための手順を示す。図４は従来の着信記録発信機能付ＰＨＳ端末の番号記憶配置を示す。
１は最初に発信するＰＨＳ端末、２は最初に着信するＰＨＳ端末、３はＰＨＳ端末１の家庭等連絡の仲介をする電話機、４１、４２、４３は交換機、５１、５２、５３、５４はＰＨＳ端末の基地局である。
【０００６】
まず、図４及び図３を用いて従来の発信者番号への着信記録発信の動作を説明する。
ＰＨＳ端末１はダイヤル入力により発信先であるＰＨＳ端末２の着信番号（以下着番号という）ＦＧＨを発信記憶部１２に設定した後発信操作を行うと、基地局５１、交換機４１、基地局５２を介して到来する信号によりＰＨＳ端末２が着信状態となる。ここでＰＨＳ端末２の着信記憶部２３は、ＰＨＳ端末１の発信記憶部１２と同様に発信者番号（以下発番号という）ＡＢＣ、と着番号ＦＧＨとが記憶され、表示器２０にはＰＨＳ端末の発番号ＡＢＣが表示される。もしＰＨＳ端末２が不応答であれば発信記憶部１２の発番号ＡＢＣの通常表示が継続されたままとなる。
【０００７】
ＰＨＳ端末２の所有者が表示器２０の発番号ＡＢＣを見て着信があったことを知り着信記録発信の操作をすると、着信記憶部２３内の発番号ＡＢＣが着信記録発信記憶部２４の着番号のエリアに着番号ＡＢＣとして移される。その後ＰＨＳ端末２から着信記録発信記憶部２４に基づく発信が行われる。すると着番号ＡＢＣであるＰＨＳ端末１が呼び出されることになり、ＰＨＳ端末１にて応答があるとＰＨＳ端末１とＰＨＳ端末２との間で通話状態となる。しかしＰＨＳ端末１の電源が切られた状態になっていたり、着信音の起動停止の状態であった場合にはＰＨＳ端末２の操作者はＰＨＳ端末１の操作者からの連絡を受けることができない。
【０００８】
また、サブアドレス番号を持たないＰＨＳ端末１については、発信記憶部１２内の発サブ番号は空白であるが、ＩＳＤＮ回線に接続されていてサブアドレス（例えばＤＥ）が設定された電話機であれば発信記憶部１２内の発サブ番号の位置に発サブ番号としてＤＥが記憶される。ＰＨＳ端末２がこの電話機からの着信を受け、折り返しの着信記録発信をする場合は図４の点線で示したように着信メモリ２３の発サブ番号ＤＥが、着信記録発信記憶部２４の着サブ番号の位置に転送記憶される。
【０００９】
次に図１、図２及び図３を用い本発明にかかる着信記憶発信機能付ＰＨＳ端末の動作を説明する。
図３のルート１のようにＰＨＳ端末１はダイヤル入力により発信先であるＰＨＳ端末２の着番号ＦＧＨを発信記憶部１２に設定した後発信操作を行うと、基地局５１、交換機４１、基地局５２を介して到来する信号によりＰＨＳ端末２が着信状態となる。ここでＰＨＳ端末２が応答しない場合には、また図３のルート１にて今度はＰＨＳ端末１から次のようなダイヤルを行う。
0003809568.tif 000002
（一例０８０−１２３−４５６７−＊−４５６７−０４６２−２８−４０００）
すると図２に示すように付加番号Ｊと連絡先電話番号ＫＬＭが発信記憶部１１の着信サブアドレス番号（以下着サブ番号という）の記憶位置に格納される。次にＰＨＳ端末１により発信操作が行われると基地局５１、交換機４１、基地局５２を介して到来する信号によりＰＨＳ端末２が再度着信状態となる。ここでＰＨＳ端末２の着信記憶部２１は、ＰＨＳ端末１の発信記憶部１１と同様に発信者番号（以下発番号という）ＡＢＣ、と着番号ＦＧＨ、さらに着サブ番号記憶位置に付加番号Ｊと連絡先電話番号ＫＬＭとが記憶される。図１のフローチャートに示すようにＰＨＳ端末２の図示しない制御部は着信したが応答のない状態が続くと、着サブ番号が到来していることを検知後、着信記憶部２１の着サブ番号記憶位置に記憶された付加番号ＪとＰＨＳ端末２に設定済の設定番号Ｎとを照合する。ここでは設定番号ＮをＰＨＳ端末２の最後の４桁の番号４５６７としてある（Ｎ＝Ｈ）ため、付加番号Ｊも着番号の最後の４桁をダイヤルするようにしてある（Ｊ＝Ｈ）。ここで一致を検知した制御部はＰＨＳ端末２の表示器２０の上段にＰＨＳ端末１の発番号ＡＢＣを表示するのに加え、下段に着サブ番号（付加番号＋連絡先電話番号ＫＬＭ）を表示する。さらに図２のＰＨＳ端末２の着信記録発信記憶部２２の着番号記憶位置に連絡先電話番号ＫＬＭが格納される。
なお、ＰＨＳ端末２に発信するときに最初から付加番号と連絡先電話番号を付加して発信してもよい。
【００１０】
次に図３のルート２のようにＰＨＳ端末１の操作者は例えば自分の家庭の連絡先電話番号ＫＬＭの電話機を呼出し家庭に居る人にＰＨＳ端末２から連絡があった時にＰＨＳ端末２の所有者へ伝えるメッセージを連絡しておく。
【００１１】
ＰＨＳ端末１からの呼出しに対し不応答であったＰＨＳ端末２の操作者がしばらくしてから表示器２０を見て着信が有り、且つ発番号だけでは無く表示器の下段に連絡先電話番号ＫＬＭが表示されていることを確認して着信記録発信の操作を行うと、図２のＰＨＳ端末２の着信記録発信記憶部２２の着番号記憶位置に格納されている連絡先電話番号が基地局５３を介し交換機４２に到達する。すると交換機４２により連絡先電話が選択され、ＰＨＳ端末２の操作者は電話機３の操作者からＰＨＳ端末１の所有者のメッセージを聞き連絡内容を知ることができる。また逆にＰＨＳ端末１の所有者への回答又は他のメッセージがあれば、それを電話機３の操作者に伝えておく。
【００１２】
ＰＨＳ端末１の操作者は、電源を入れたり通話圏内に戻ったりしてから電話機３へ発信し、ＰＨＳ端末２の操作者が残したメセージを聞くことができる。
【００１３】
上述した説明では、連絡先電話として、通常の電話機を取り上げているが、この代わりに伝言メッセージ機能付留守番電話機としてもよい。外出中のＰＨＳ端末１の操作者によりＰＨＳ端末２の所有者に伝えたい用件が録音された伝言メッセージ機能付留守番電話機が、ＰＨＳ端末２からの着信に対し、自動応答後予め定めてある例えば「＊１０」のダイヤル信号の到来を検知すると通常の留守番電話の応答メッセージから伝言メッセージ送出に切り換わり、さらに伝言メッセージ送出後は用件の録音状態となる。その後、ＰＨＳ端末１の操作者は、電源を入れたり通話圏内に戻ったりしてから伝言メッセージ機能付留守番電話機へ発信し、ＰＨＳ端末２の操作者が録音したメセージを聞くことができる。
【００１４】
上述した説明とは別に、ＰＨＳ端末２は、表示器２０の上段に発番号、下段に連絡先番号を表示しているとき、通常の着信記録発信操作では上段の相手発番号を、他に定めた着信記録発信操作では下段の着サブ番号中の連絡先電話番号を発信するような操作手順としてもよい。
【００１５】
上述した説明では、設定番号（相手にとっては着サブアドレスに挿入する付加番号）を着番号の最後の４桁数字としたが、例えば１２３等局番等に間違われなければよいので、これに限定されるものではない。
【００１６】
上述した説明では、ダイヤルする番号が多くなるため、ワンタッチ、短縮ダイヤル等の組み合わせでダイヤル操作を行えば操作が簡略化される。
【００１７】
【発明の効果】
本発明に係る着信記録発信機能付電話機は、相手電話機操作者と直接電話連絡がとれなくとも、相手電話機操作者に指定された電話機に簡単な操作の着信記録発信を行うことにより、相手からの連絡を確実に受けることができるものである。
【図面の簡単な説明】
【図１】  本発明の一実施例であるフローチャート
【図２】  本発明の着信記録発信機能付ＰＨＳ端末の番号記憶配置を示す図
【図３】  本発明の目的を達成するための手順を示す図
【図４】  従来の着信記録発信機能付ＰＨＳ端末の番号記憶配置を示す図
【符号の説明】
１    ＰＨＳ端末
１０  表示器
１１  発信記憶部
１２  発信記憶部
２    ＰＨＳ端末
２０  着信記憶部
２１  着信記録発信記憶部
２２  着信記録発信記憶部
２３  着信記録発信記憶部
２４  着信記録発信記憶部
３    電話機
４１  交換機
４２  交換機
４３  交換機
５１  基地局
５２  基地局
５３  基地局
５４  基地局
【図１】
0003809568.tif 000003
【図２】
0003809568.tif 000004
【図４】
0003809568.tif 000005
【図３】
0003809568.tif 000006